【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
ワイヤレスネットワーク（１２）へのデータ接続を必要とするモバイル通信デバイス（３０）上で動作可能なアプリケーション間の競合を解消するための方法であって、該方法は、
該モバイル通信デバイス（３０）と該ワイヤレスネットワーク（１２）との間の少なくとも２つのデータ接続を実行することであって、該データ接続の各々は、該モバイル通信デバイス（３０）上で動作している接続されたアプリケーションに関連する、ことと、
該モバイル通信デバイス（３０）上で動作可能であり、接続されていないアプリケーションに対するデータ接続を要求することと、
該要求に応答して、該接続されたアプリケーションのうちの１つを自動的に選択することと、
該接続され選択されたアプリケーションに関連する該データ接続を解放することと、
該接続されていないアプリケーションに対して、該モバイル通信デバイス（３０）と該ワイヤレスネットワーク（１２）との間の該データ接続を確立することと
を包含する、方法。
【請求項２】
前記モバイル通信デバイス（３０）とワイヤレスネットワーク（１２）との間の少なくとも２つのデータ接続を実行することが、該モバイル通信デバイス（３０）によって許可された最大数のデータ接続を実行することをさらに包含する、請求項１に記載の方法。
【請求項３】
前記モバイル通信デバイス（３０）とワイヤレスネットワーク（１２）との間の少なくとも２つのデータ接続を実行することが、該モバイル通信デバイス（３０）と該ワイヤレスネットワーク（１２）との間において許可された最大数のデータ接続を実行することをさらに包含する、請求項１に記載の方法。
【請求項４】
前記アプリケーションの各々が、一定の接続性を必要とするアプリケーションをさらに含む、請求項１に記載の方法。
【請求項５】
前記接続されたアプリケーションのうちの１つを自動的に選択することが、該接続され選択されるアプリケーションを決定するために、該接続されたアプリケーションに関連するアプリケーション優先度を比較することをさらに包含する、請求項１に記載の方法。
【請求項６】
前記接続されたアプリケーションのうちの１つを自動的に選択することが、該接続され選択されるアプリケーションを決定するために、該接続されたアプリケーションの前記データ接続に関連するデータトラフィックを比較することをさらに包含する、請求項１に記載の方法。
【請求項７】
前記接続されたアプリケーションのうちの１つを自動的に選択することが、該接続され選択されるアプリケーションを決定するために、該接続されたアプリケーションの前記データ接続に関連する接続継続時間を比較することをさらに包含する、請求項１に記載の方法。
【請求項８】
モバイル通信デバイス（３０）であって、
該モバイル通信デバイス（３０）とワイヤレスネットワーク（１２）との間の少なくとも２つのデータ接続を実行するように動作可能なワイヤレストランシーバ（３４）であって、該データ接続の各々は、該モバイル通信デバイス（３０）上で動作している接続されたアプリケーションに関連する、ワイヤレストランシーバ（３４）と、
該ワイヤレストランシーバ（３４）に結合されたプロセッサ（３２）であって、該モバイル通信デバイス（３０）上で動作可能であり接続されていないアプリケーションに対するデータ接続の要求を処理するように動作可能であり、該接続されたアプリケーションのうちの１つに関連する該データ接続のうちの１つを解放するように動作可能であり、該接続されていないアプリケーションに対して、該モバイル通信デバイス（３０）と該ワイヤレスネットワーク（１２）との間のデータ接続を確立するように動作可能である、プロセッサ（３２）と、
解放されるべき該接続されたアプリケーションを自動的に選択するように動作可能な競合マネージャ（８６）と
を備える、モバイル通信デバイス（３０）。
【請求項９】
前記モバイル通信デバイス（３０）とワイヤレスネットワーク（１２）との間のデータ接続が、該モバイル通信デバイス（３０）によって許可された最大数のデータ接続をさらに含む、請求項８に記載のモバイル通信デバイス（３０）。
【請求項１０】
前記モバイル通信デバイス（３０）とワイヤレスネットワーク（１２）との間のデータ接続が、該モバイル通信デバイス（３０）と該ワイヤレスネットワーク（１２）との間において許可された最大数のデータ接続をさらに含む、請求項８に記載のモバイル通信デバイス（３０）。
【請求項１１】
前記アプリケーションの各々が、一定の接続性を必要とするアプリケーションをさらに含む、請求項８に記載のモバイル通信デバイス（３０）。
【請求項１２】
前記競合マネージャ（８６）が、解放されるべき前記接続されたアプリケーションを選択するために、該接続されたアプリケーションの各々に関連するアプリケーション優先度を分析する、請求項８に記載のモバイル通信デバイス（３０）。
【請求項１３】
前記競合マネージャ（８６）が、解放されるべき前記接続されたアプリケーションを選択するために、該接続されたアプリケーションの各々に関連するデータトラフィックを分析する、請求項８に記載のモバイル通信デバイス（３０）。
【請求項１４】
前記競合マネージャ（８６）が、解放されるべき前記接続されたアプリケーションを選択するために、該接続されたアプリケーションの各々に関連する前記データ接続の継続時間を分析する、請求項８に記載のモバイル通信デバイス（３０）。
【請求項１５】
コンピュータプログラム製品であって、
記憶媒体（７４）と、
該記憶媒体（７４）に格納されたコンピュータ命令（８６）であって、該コンピュータ命令（８６）は、ワイヤレスネットワーク（１２）との少なくとも２つのデータ接続を実行するように動作可能なモバイル通信デバイス（３０）のプロセッサ（３２）によって実行可能であり、該データ接続の各々は、該モバイル通信デバイス（３０）上で動作している接続されたアプリケーションに関連し、該コンピュータ命令（８６）は、
該モバイル通信デバイス（３０）上で動作可能であり、接続されていないアプリケーションに対するデータ接続の要求を受信することと、
該接続されたアプリケーションのうちの１つを自動的に選択することと、
該接続され選択されたアプリケーションに関連する該データ接続を解放することと、
該接続されていないアプリケーションに対して、該モバイル通信デバイス（３０）と該ワイヤレスネットワーク（１２）との間の該データ接続を確立することと
によって、該モバイル通信デバイス（３０）上で動作可能なアプリケーション間の競合を解消するように動作可能である、コンピュータ命令（８６）と
を備える、コンピュータプログラム製品。
【請求項１６】
前記モバイル通信デバイス（３０）とワイヤレスネットワーク（１２）との間のデータ接続が、該モバイル通信デバイス（３０）によって許可された最大数のデータ接続をさらに含む、請求項１５に記載のコンピュータプログラム製品。
【請求項１７】
前記モバイル通信デバイス（３０）とワイヤレスネットワーク（１２）との間のデータ接続が、該モバイル通信デバイス（３０）と該ワイヤレスネットワーク（１２）との間において許可された最大数のデータ接続をさらに含む、請求項１５に記載のコンピュータプログラム製品。
【請求項１８】
前記アプリケーションの各々が、一定の接続性を必要とするアプリケーションをさらに含む、請求項１５に記載のコンピュータプログラム製品。
【請求項１９】
前記接続されたアプリケーションのうちの１つを選択するステップが、該接続され選択されるアプリケーションを決定するために、該接続されたアプリケーションに関連するアプリケーション優先度を比較することをさらに包含する、請求項１５に記載のコンピュータプログラム製品。
【請求項２０】
前記接続されたアプリケーションのうちの１つを選択するステップが、該接続され選択されるアプリケーションを決定するために、該接続されたアプリケーションの前記データ接続に関連するデータトラフィックを比較することをさらに包含する、請求項１５に記載のコンピュータプログラム製品。
【請求項２１】
前記接続されたアプリケーションのうちの１つを選択するステップが、該接続され選択されるアプリケーションを決定するために、該接続されたアプリケーションの前記データ接続に関連する接続継続時間を比較することをさらに包含する、請求項１５に記載のコンピュータプログラム製品。
【請求項２２】
複数のワイヤレスデータ接続を行うことが可能なモバイル通信デバイス（３０）上でのデータ接続のための競合を解消するための方法であって、該方法は、
該モバイル通信デバイス（３０）と該ワイヤレスネットワーク（１２）との間の新たなデータ接続のための要求を受信することに応答して、既存のデータ接続の数が許容可能なデータ接続の数未満かどうかを決定することと、
該既存のデータ接続の数が許容可能なデータ接続の数未満でないとき、解放するためのデータ接続を自動的に選択することと
を包含する、方法。
【請求項２３】
前記解放するためのデータ接続を自動的に選択することは、競合パラメータ分析を実行することを包含する、請求項２２に記載の方法。
【請求項２４】
前記競合パラメータ分析を実行することは、複数の競合パラメータを実行することを包含する、請求項２３に記載の方法。
【請求項２５】
前記競合パラメータ分析を実行することは、複数の競合パラメータの階層を分析することを包含する、請求項２３に記載の方法。
【請求項２６】
前記解放するためのデータ接続を自動的に選択することは、各データ接続上のデータトラフィックと、各データ接続の継続期間と、各データ接続に関連づけられたアプリケーションの優先度とのうちの少なくとも１つを比較することを包含する、請求項２２に記載の方法。
【請求項２７】
ユーザに、選択されたデータ接続を解放する前に、選択されたデータ接続を確認することを促すことをさらに包含する、請求項２２に記載の方法。
【請求項２８】
前記選択されたデータ接続を解放することと、前記新たなデータ接続を確立することとをさらに包含する、請求項２２に記載の方法。
【請求項２９】
コンピュータプログラム製品であって、
記憶媒体（７４）と、
該記憶媒体（７４）に格納されたコンピュータ命令（８６）であって、該コンピュータ命令（８６）は、ワイヤレスネットワーク（１２）との複数のデータ接続を実行するように動作可能なモバイル通信デバイス（３０）のプロセッサによって実行可能である、コンピュータ命令と
を備え、該コンピュータ命令（８６）は、該モバイル通信デバイス（３０）と該ワイヤレスネットワーク（１２）との間で、新たなデータ接続に対する要求を受信することに応答して、既存データ接続の数が許容可能なデータ接続の数未満かどうかを決定することと、該既存のデータ接続の数が許容可能なデータ接続の数未満でないとき、解放するためのデータ接続を自動的に選択することとを行うように動作可能である、コンピュータプログラム製品。
【請求項３０】
前記データ接続を選択するように動作可能なコンピュータ命令（８６）は、競合パラメータ分析を実行する、請求項２９に記載のコンピュータプログラム製品。
【請求項３１】
競合パラメータ分析を実行することは、複数の競合パラメータを分析することを包含する、請求項３０に記載のコンピュータプログラム製品。
【請求項３２】
競合パラメータ分析を実行することは、複数の競合パラメータの階層を分析することを包含する、請求項２９に記載のコンピュータプログラム製品。
【請求項３３】
前記データ接続を選択するように動作可能な前記コンピュータ命令（８６）は、各データ接続上のデータトラフィックと、各データ接続の継続期間と、各データ接続に関連づけられたアプリケーションの優先度とのうちの少なくとも１つを分析する、請求項２９に記載のコンピュータプログラム製品。
【請求項３４】
前記コンピュータ命令（８６）は、ユーザに、選択されたデータ接続を解放する前に、該選択されたデータ接続を確認することを促すようにさらに動作可能である、請求項２９に記載のコンピュータプログラム製品。
【請求項３５】
前記コンピュータ命令（８６）は、前記選択されたデータ接続を解放することと、前記新たなデータ接続を確立することとを行うようにさらに動作可能である、請求項２９に記載のコンピュータプログラム製品。
【請求項３６】
複数のデータ接続を行うことが可能なモバイル通信デバイス（３０）上でデータ接続のための競合を解消するための方法であって、該方法は、
該モバイル通信デバイス（３０）とワイヤレスネットワーク（１２）との間の新たなデータ接続のための要求を受信すること（１５２）に応答して、該モバイル通信デバイス（３０）が、既存の数のデータ接続に加えて新たなデータ接続を実行することが可能であるかどうかを決定すること（１５４）と、
該モバイル通信デバイス（３０）が既存の数のデータ接続に加えて新たなデータ接続を実行することが不可能である場合に、解放されるデータ接続を自動的に選択すること（１６２）と
を包含する、方法。
【請求項３７】
前記解放するためにデータ接続を自動的に選択することは、競合パラメータ分析を実行すること（１６０）を包含する、請求項３６に記載の方法。
【請求項３８】
前記競合パラメータ分析を実行することは、複数の競合パラメータを分析することを包含する、請求項３７に記載の方法。
【請求項３９】
競合パラメータ分析を実行することは、複数の競合パラメータの階層を分析することを包含する、請求項３７に記載の方法。
【請求項４０】
解放するために前記データ接続を自動的に選択することは、各データ接続上のデータトラフィックと、各データ接続の継続期間と、各データ接続と関連づけられたアプリケーションの優先度とのうちの少なくとも１つを比較することを包含する、請求項３６に記載の方法。
【請求項４１】
選択されたデータ接続を解放する前に、該選択されたデータ接続を確認することをユーザに促すことをさらに包含する、請求項３６に記載の方法。
【請求項４２】
前記選択されたデータ接続を解放すること（１６４）と、前記新たなデータ接続を確立すること（１５６）とをさらに包含する、請求項３６に記載の方法。